(57)【要約】【課題】  回路規模の増加を抑えつつ、装置の異常を検出する。【解決手段】  無線装置２２は、無線ネットワークでのチャネルが割り当てられた端末装置１０との通信を実行する。そのため、無線装置２２は、変復調機能等を有する。制御装置２４は、無線装置２２でのチャネルに対する呼制御機能を有する。すなわち、制御装置２４は、無線装置２２でのチャネルと公衆網１４でのチャネルとを接続する。さらに、制御装置２４は、複数の無線装置２２のうちの送信用無線装置２２から信号を送信させ、かつ測定用無線装置２２に信号を受信させる。また、制御装置２４は、受信した信号の結果から、複数の無線装置２２における通信機能の異常を検出する。【選択図】  図２
2006246333.tif 000002
【特許請求の範囲】
【請求項１】
無線ネットワークでのチャネルを割り当てることによって、端末装置との通信をそれぞれ実行する複数の無線装置と、
一端において前記複数の無線装置を接続し、他端において通信網を接続しつつ、かつ前記複数の無線装置のそれぞれでの無線ネットワークのチャネルと、前記通信網でのチャネルとを接続する制御装置とを備え、
前記制御装置は、前記複数の無線装置のうちのひとつから信号を送信させ、かつ当該ひとつ以外の無線装置に信号を受信させた後に、受信した信号の結果から、前記複数の無線装置における通信機能の異常を検出することを特徴とする基地局システム。
【請求項２】
無線ネットワークでのチャネルを割り当てることによって、端末装置との通信をそれぞれ実行する複数の無線装置を一端に接続し、通信網を他端に接続しつつ、かつ前記複数の無線装置のそれぞれでの無線ネットワークのチャネルと、前記通信網でのチャネルとを接続する通信部と、
前記通信部を介して、前記複数の無線装置のうちのひとつから信号を送信させ、かつ当該ひとつ以外の無線装置に信号を受信させた後に、受信した信号の結果から、前記複数の無線装置における通信機能の異常を検出する検出部と、
を備えることを特徴とする制御装置。
【請求項３】
前記検出部は、受信した信号の結果として、前記ひとつ以外の無線装置によってなされた選択の結果であって、かつ通信機能が異常であるか否かの選択の結果を受けつけ、選択の結果が通信機能の異常を示しているときに、前記複数の無線装置における通信機能の異常の検出とすることを特徴とする請求項２に記載の制御装置。
【請求項４】
前記検出部は、受信した信号の結果として、前記ひとつ以外の無線装置から誤り率を受けつけ、誤り率がしきい値よりも悪化しているときに、前記複数の無線装置における通信機能の異常の検出とすることを特徴とする請求項２に記載の制御装置。
【請求項５】
前記検出部は、受信した信号の結果として、前記ひとつ以外の無線装置から信号の強度を受けつけ、信号の強度がしきい値よりも低いときに、前記複数の無線装置における通信機能の異常の検出とすることを特徴とする請求項２に記載の制御装置。
【請求項６】
前記検出部は、前記複数の無線装置における通信機能の異常として、前記ひとつの無線装置における送信機能の異常あるいは前記ひとつ以外の無線装置における受信機能の異常を検出することを特徴とする請求項２から５のいずれかに記載の制御装置。
【請求項７】
前記複数の無線装置のうちのひとつは、基準装置として規定されており、前記複数の無線装置のうち、当該基準装置以外の無線装置でのチャネルのタイミングは、基準装置でのチャネルのタイミングと同期されており、
前記検出部は、所定のチャネルのタイミングにおいて、前記基準装置と、前記基準装置以外の無線装置に対して、通信機能の異常の検出処理を実行させることを特徴とする請求項２から６のいずれかに記載の制御装置。
【請求項８】
前記検出部は、信号を送信させるべきひとつの無線装置を変更しながら、前記複数の無線装置における通信機能の異常を検出することを特徴とする請求項２から６のいずれかに記載の制御装置。
【請求項９】
無線ネットワークでのチャネルを割り当てることによって、端末装置との通信をそれぞれ実行する無線部と、
無線ネットワークでのチャネルと、通信網でのチャネルとを接続する制御装置に対して、有線ネットワークを介して通信する有線部とを備え、
前記無線部は、他の無線装置からの信号を受信し、
前記有線部は、前記制御装置に前記無線部の異常の検出処理を実行させるために、前記制御装置に受信した信号の結果を送信することを特徴とする無線装置。
【請求項１０】
複数の無線装置のそれぞれが、無線ネットワークのチャネルを端末装置に割り当てるステップと、
一端において、複数の無線装置と有線ネットワークを介して接続され、かつ他端において、通信網と接続された制御装置が、無線ネットワークでのチャネルと、通信網でのチャネルとを接続するステップと、
前記有線ネットワークを介して、前記複数の無線装置のうちのひとつから信号を送信させ、かつ当該ひとつ以外の無線装置に信号を受信させた後に、受信した信号の結果から、前記複数の無線装置における通信機能の異常を検出するステップと、
を備えることを特徴とする異常検出方法。
【請求項１１】
有線ネットワークを介して接続した複数の無線装置のそれぞれにおける無線ネットワークでのチャネルと、通信網でのチャネルとを接続し、その結果をメモリに記憶するステップと、
前記有線ネットワークを介して、前記複数の無線装置のうちのひとつから信号を送信させるように制御信号を出力し、かつ当該ひとつ以外の無線装置において受信された信号を入力した後に、受信された信号の結果から、前記複数の無線装置における通信機能の異常を検出するステップと、
をコンピュータに実行させるためのプログラム。
【発明の詳細な説明】
【技術分野】
【０００１】
本発明は、異常検出技術に関し、特に通信機能の異常を検出する異常検出方法ならびにそれを利用した制御装置および無線装置および基地局システムに関する。
【背景技術】
【０００２】
第二世代コードレス電話システムのような無線通信システムにおいて基地局装置が故障した場合、端末装置は、無線通信システムを利用できなくなるので、一般的に、通信事業者は、基地局装置の長期の故障を防止すべきである。そのため、基地局装置には、高い耐久性と自己診断機能が必要とされる。特に、自己診断機能によって故障を早期に検出できれば、通信事業者は、基地局装置の交換等の手段によって、基地局装置の長期の故障を防止できる。装置の故障を検出する方法、特に複数のアンテナの異常を検出する方法として、従来よりＶＳＷＲ（Ｖｏｌｔａｇｅ  Ｓｔａｎｄｉｎｇ  Ｗａｖｅ  Ｒａｔｉｏ）法が実行されている。ＶＳＷＲ法では、各アンテナからの反射波を検出してから、検出した信号をＤＣに電圧に変換することによって、反射波のレベルを検出する。さらに、反射波のレベルの値が所定のレベルを超えた場合に、アンテナの異常が検出される（例えば、特許文献１参照。）。
【特許文献１】特開平９−８３４１８号公報
【発明の開示】
【発明が解決しようとする課題】
【０００３】
ＶＳＷＲ法を実行するために、基地局装置には、通信機能を実行するための回路に加えて、ＶＳＷＲ法を実行するための回路の実装が要求される。そのため、回路のサイズが大きくなり、消費電力も増加する。また、基地局装置のコストも増加する。さらに、ＶＳＷＲ法は、一般的に送信回路の異常を検出するための方法であり、受信回路の異常を検出できない。
【０００４】
第二世代コードレス電話システムの基地局装置は、端末装置に対してデータを送受信する機能（以下、「送受信機能」という）を有する。さらに、基地局装置は、通信網とも接続しており、端末装置に割り当てるスロットと、通信網でのチャネルとを接続する機能（以下、「呼制御機能」という）も有する。すなわち、基地局装置は、複数のスロットによって構成されるフレームを規定しており、端末装置に所定のスロットを割り当てることによって、端末装置との通信を実現する。また、端末装置と通信網との間においてデータを中継する。なお、呼制御の機能には、秘匿鍵の設定等も含まれる。近年、基地局装置の構成の簡易化等を目的として、このような基地局装置の機能を複数の装置に分離することが提案されている。
【０００５】
すなわち、基地局装置が、無線装置と制御装置に分離される。ここで、基地局装置の送受信機能が無線装置に搭載され、基地局装置の呼制御機能が制御装置に搭載される。なお、無線装置と制御装置は、ＬＡＮケーブルのような有線ケーブルにて接続されるが、ひとつの制御装置に複数の無線装置を接続することによって、システム全体の構成も簡易化できる。その際、制御装置は、複数の無線装置に対する呼制御を実行する。このような無線装置には、簡易な構成が望まれるので、ＶＳＷＲ法よりも簡易なアンテナの異常検出技術が適用される方が望ましい。
【０００６】
本発明はこうした状況に鑑みてなされたものであり、その目的は、回路規模の増加を抑えつつ、装置の異常を検出する異常検出技術を提供することにある。
【課題を解決するための手段】
【０００７】
上記課題を解決するために、本発明のある態様の基地局システムは、無線ネットワークでのチャネルを割り当てることによって、端末装置との通信をそれぞれ実行する複数の無線装置と、一端において複数の無線装置を接続し、他端において通信網を接続しつつ、かつ複数の無線装置のそれぞれでの無線ネットワークのチャネルと、通信網でのチャネルとを接続する制御装置とを備える。制御装置は、複数の無線装置のうちのひとつから信号を送信させ、かつ当該ひとつ以外の無線装置に信号を受信させた後に、受信した信号の結果から、複数の無線装置における通信機能の異常を検出する。
【０００８】
「チャネル」とは、一般的に、ふたつの無線装置の間において通信を行うために設定される無線通信路のことを示す。具体的に、ＦＤＭＡ（Ｆｒｅｑｕｅｎｃｙ  Ｄｉｖｉｓｉｏｎ  Ｍｕｌｔｉｐｌｅ  Ａｃｃｅｓｓ）の場合は特定の周波数帯域を指し、ＴＤＭＡ（Ｔｉｍｅ  Ｄｉｖｉｓｉｏｎ  Ｍｕｌｔｉｐｌｅ  Ａｃｃｅｓｓ）の場合は特定のタイムスロットまたはスロットを指し、ＣＤＭＡ（Ｃｏｄｅ  Ｄｉｖｉｓｉｏｎ  Ｍｕｌｔｉｐｌｅ  Ａｃｃｅｓｓ）の場合は特定の符号系列を指す。ここでは、これらのうちのいずれであってもよいものとする。
【０００９】
「受信した信号の結果」とは、ひとつ以外の無線装置が受信した信号そのものであってもよいし、受信した信号に対して、ひとつ以外の無線装置が処理を施した結果であってもよい。前者は、ひとつ以外の無線装置から、受信した信号の値を受けつける場合に相当し、後者は、ひとつの以外の無線装置において、受信した信号の信号強度や誤り率が測定され、その測定結果を受けつける場合に相当する。さらに、後者は、測定した結果をしきい値と比較し、その比較の結果を受けつける場合であってもよい。すなわち、ひとつ以外の無線装置において受信された信号の性質が認識できればよいものとする。
【００１０】
この態様によると、ひとつの無線装置から信号を送信させ、他の無線装置に信号を受信させており、かつ送受信の機能は、無線装置に備えられている機能であるので、回路規模の増加を抑えつつ、装置の異常を検出できる。
【００１１】
本発明の別の態様は、制御装置である。この装置は、無線ネットワークでのチャネルを割り当てることによって、端末装置との通信をそれぞれ実行する複数の無線装置を一端に接続し、通信網を他端に接続しつつ、かつ複数の無線装置のそれぞれでの無線ネットワークのチャネルと、通信網でのチャネルとを接続する通信部と、通信部を介して、複数の無線装置のうちのひとつから信号を送信させ、かつ当該ひとつ以外の無線装置に信号を受信させた後に、受信した信号の結果から、複数の無線装置における通信機能の異常を検出する検出部と、を備える。
【００１２】
この態様によると、ひとつの無線装置から信号を送信させ、他の無線装置に信号を受信させており、かつ送受信の機能は、無線装置に備えられている機能であるので、回路規模の増加を抑えつつ、装置の異常を検出できる。
【００１３】
検出部は、受信した信号の結果として、ひとつ以外の無線装置によってなされた選択の結果であって、かつ通信機能が異常であるか否かの選択の結果を受けつけ、選択の結果が通信機能の異常を示しているときに、複数の無線装置における通信機能の異常の検出としてもよい。
【００１４】
「通信機能が異常であるか否かの選択の結果」とは、異常あるいは正常であってもよく、異常と正常の間に複数の段階が設けられた選択肢のいずれかであってもよい。すなわち、少なくとも、異常および正常が設けられた選択肢のいずれかであればよい。この場合、無線装置から受けつけた選択の結果に応じて、検出結果を決定するので、処理を簡易にできる。
【００１５】
検出部は、受信した信号の結果として、ひとつ以外の無線装置から誤り率を受けつけ、誤り率がしきい値よりも悪化しているときに、複数の無線装置における通信機能の異常の検出としてもよい。この場合、誤り率がしきい値よりも悪化している場合を検出するので、しきい値として最低限満たすべき値を設定すれば、最低限満たすべき値を満たせないような異常の状態を検出できる。
【００１６】
検出部は、受信した信号の結果として、ひとつ以外の無線装置から信号の強度を受けつけ、信号の強度がしきい値よりも低いときに、複数の無線装置における通信機能の異常の検出としてもよい。この場合、信号の強度がしきい値よりも低い場合を検出するので、しきい値として最低限満たすべき値を設定すれば、最低限満たすべき値を満たせないような異常の状態を検出できる。
【００１７】
検出部は、複数の無線装置における通信機能の異常として、ひとつの無線装置における送信機能の異常あるいはひとつ以外の無線装置における受信機能の異常を検出してもよい。この場合、ふたつの無線装置における送信機能と受信機能の異常を検出するので、ふたつの無線装置を切り替えることによって、異常となっている部分を特定できる。
【００１８】
複数の無線装置のうちのひとつは、基準装置として規定されており、複数の無線装置のうち、当該基準装置以外の無線装置でのチャネルのタイミングは、基準装置でのチャネルのタイミングと同期されており、検出部は、所定のチャネルのタイミングにおいて、基準装置と、基準装置以外の無線装置に対して、通信機能の異常の検出処理を実行させてもよい。この場合、チャネルのタイミングが同期されているので、通信に使用されていないチャネルを使用すれば、通信へ及ぼす影響を低減できる。
【００１９】
検出部は、信号を送信させるべきひとつの無線装置を変更しながら、複数の無線装置における通信機能の異常を検出してもよい。この場合、無線装置を変更しながら検出を実行するので、複数の無線装置に対する異常を検出できる。
【００２０】
本発明のさらに別の態様は、無線装置である。この装置は、無線ネットワークでのチャネルを割り当てることによって、端末装置との通信をそれぞれ実行する無線部と、無線ネットワークでのチャネルと、通信網でのチャネルとを接続する制御装置に対して、有線ネットワークを介して通信する有線部とを備える。無線部は、他の無線装置からの信号を受信し、有線部は、制御装置に無線部の異常の検出処理を実行させるために、制御装置に受信した信号の結果を送信する。
【００２１】
この態様によると、信号を受信する機能は、予め備えられているので、回路規模の増加を抑えつつ、装置の異常を検出できる。
【００２２】
本発明のさらに別の態様は、異常検出方法である。この方法は、複数の無線装置のそれぞれが、無線ネットワークのチャネルを端末装置に割り当てるステップと、一端において、複数の無線装置と有線ネットワークを介して接続され、かつ他端において、通信網と接続された制御装置が、無線ネットワークでのチャネルと、通信網でのチャネルとを接続するステップと、有線ネットワークを介して、複数の無線装置のうちのひとつから信号を送信させ、かつ当該ひとつ以外の無線装置に信号を受信させた後に、受信した信号の結果から、複数の無線装置における通信機能の異常を検出するステップと、を備える。
【００２３】
検出するステップは、受信した信号の結果として、ひとつ以外の無線装置によってなされた選択の結果であって、かつ通信機能が異常であるか否かの選択の結果を受けつけ、選択の結果が通信機能の異常を示しているときに、複数の無線装置における通信機能の異常の検出としてもよい。検出するステップは、受信した信号の結果として、ひとつ以外の無線装置から誤り率を受けつけ、誤り率がしきい値よりも悪化しているときに、複数の無線装置における通信機能の異常の検出としてもよい。検出するステップは、受信した信号の結果として、ひとつ以外の無線装置から信号の強度を受けつけ、信号の強度がしきい値よりも低いときに、複数の無線装置における通信機能の異常の検出としてもよい。
【００２４】
検出するステップは、複数の無線装置における通信機能の異常として、ひとつの無線装置における送信機能の異常あるいはひとつ以外の無線装置における受信機能の異常を検出してもよい。複数の無線装置のうちのひとつは、基準装置として規定されており、複数の無線装置のうち、当該基準装置以外の無線装置でのチャネルのタイミングは、基準装置でのチャネルのタイミングと同期されており、検出するステップは、所定のチャネルのタイミングにおいて、基準装置と、基準装置以外の無線装置に対して、通信機能の異常の検出処理を実行させてもよい。検出するステップは、信号を送信させるべきひとつの無線装置を変更しながら、複数の無線装置における通信機能の異常を検出してもよい。
【００２５】
なお、以上の構成要素の任意の組合せ、本発明の表現を方法、装置、システム、記録媒体、コンピュータプログラムなどの間で変換したものもまた、本発明の態様として有効である。
【発明の効果】
【００２６】
本発明によれば、回路規模の増加を抑えつつ、装置の異常を検出できる。
【発明を実施するための最良の形態】
【００２７】
本発明を具体的に説明する前に、概要を述べる。本発明の実施例は、基地局装置の機能を無線装置と制御装置に分離させた通信システムに関する。前述のごとく、無線装置は、無線ネットワークを介して端末装置と通信する。また、制御装置は、一端において、無線装置と有線ネットワークを介して通信しつつ、他端において、通信網を接続し、無線ネットワークのチャネルと通信網のチャネルとの接続を実行する。なお、制御装置には、複数の無線装置が接続されている。
【００２８】
実施例に係る通信システムは、以上のような構成において、ＶＳＷＲ法よりも簡易に、装置の異常を検出することを目的とする。制御装置は、複数の無線装置のうちのひとつに対して、信号を送信するように指示する。指示を受けた無線装置は、既知の信号を送信する（以下、制御装置の指示にしたがって信号を送信する無線装置を「送信用無線装置」という）。他の無線装置は、信号を受信し、受信した信号に対する誤り率を測定する（以下、誤り率を測定する無線装置を「測定用無線装置」という）。測定した誤り率が、予め定めたしきい値よりも悪化していれば、誤り率を測定した無線装置は、通信機能の異常を制御装置に報告する。無線装置における送信機能と受信機能は、通常の送受信機能として備えられているので、回路規模の増加を抑えつつ、装置の異常の検出が可能になる。
【００２９】
図１は、本発明の実施例と比較されるべき通信システム１００の構成を示す。図１の通信システム１００は、携帯電話システム、第二世代コードレス電話システムの構成に相当する。通信システム１００は、端末装置１０、基地局装置１２と総称される第１基地局装置１２ａ、第２基地局装置１２ｂ、第Ｎ基地局装置１２ｎ、公衆網１４を含む。
【００３０】
公衆網１４は、複数の基地局装置１２を接続する。また、公衆網１４は、交換機を備えており、通信経路を制御する。例えば、第１基地局装置１２ａに接続された端末装置１０から、信号を入力し、第２基地局装置１２ｂに接続された端末装置１０（図示せず）に、信号を出力する。さらに、公衆網１４は、別の通信システム１００と接続してもよい。
【００３１】
基地局装置１２は、有線側のインタフェースに公衆網１４を接続し、無線側のインタフェースに端末装置１０を接続する。また、基地局装置１２は、送受信機能と呼制御機能を有する。すなわち、基地局装置１２は、送受信機能によって、端末装置１０に対してデータを送受信し、呼制御機能によって、端末装置１０に割り当てたチャネルと、公衆網１４でのチャネルとを接続する。後者について、基地局装置１２は、複数のチャネルを規定しており、そのうちのいずれかを端末装置１０に割り当てる。なお、第二世代コードレス電話システムの場合、チャネルがスロットであってもよい。端末装置１０は、ひとつだけ図示されているが、複数であってもよい。また、公衆網１４でのチャネルは、Ｄチャネル、Ｂチャネルを含む。
【００３２】
図２は、本発明の実施例に係る通信システム１００の構成を示す。通信システム１００は、端末装置１０、基地局システム２０と総称される第１基地局システム２０ａ、第２基地局システム２０ｂ、第Ｎ基地局システム２０ｎ、公衆網１４を含む。また、基地局システム２０は、無線装置２２と総称される第１無線装置２２ａ、第２無線装置２２ｂ、第３無線装置２２ｃ、第４無線装置２２ｄ、ＬＡＮケーブル２６と総称される第１ＬＡＮケーブル２６ａ、第２ＬＡＮケーブル２６ｂ、第３ＬＡＮケーブル２６ｃ、第４ＬＡＮケーブル２６ｄ、制御装置２４を含む。図２の基地局システム２０は、図１の複数の基地局装置１２に相当する。
【００３３】
無線装置２２は、無線ネットワークでのチャネルを割り当てることによって、端末装置１０との通信を実行する。すなわち、図１の基地局装置１２での送受信機能を有する。そのため、無線装置２２は、増幅機能、周波数変換機能、変復調機能、誤り訂正機能、再送機能等を有する。無線装置２２は、複数のチャネルから構成されるフレームを規定している。ここで、フレームの構成は、第二世代コードレス電話システムにおけるフレームの構成と同一であるとする。しかしながら、無線装置２２は、呼制御機能を有していない。また、第１無線装置２２ａから第４無線装置２２ｄのうちのひとつは、基準装置として規定されている。ここでは、第１無線装置２２ａを基準装置とする。さらに、第１無線装置２２ａ以外の無線装置２２でのチャネルのタイミングは、第１無線装置２２ａでのチャネルのタイミングと同期されている。なお、第２基地局システム２０ｂ等も第１基地局システム２０ａのように複数の無線装置２２を備える。また、ひとつの基地局システム２０に備えられる無線装置２２の数は、「４」以外であってもよい。
【００３４】
制御装置２４は、一端に、ＬＡＮケーブル２６を介して複数の無線装置２２と接続し、他端に、公衆網１４と接続する。このような構成によって、制御装置２４は、複数の無線装置２２と通信する。また、制御装置２４は、呼制御機能によって、無線装置２２でのチャネルと公衆網１４でのチャネルとを接続する。さらに、制御装置２４は、複数の無線装置２２での通信機能の異常を検出するために、以下の動作を実行する。制御装置２４は、複数の無線装置２２のうちの送信用無線装置２２から信号を送信させ、かつ測定用無線装置２２に信号を受信させる。また、制御装置２４は、受信した信号の結果から、複数の無線装置２２における通信機能の異常を検出する。詳細は、後述する。
【００３５】
図３は、通信システム１００による通話開始の手順を示すシーケンス図である。ここでは、図３を使用しながら、図１の通信システム１００と、図２の通信システム１００との差異を説明する。
【００３６】
第１無線装置２２ａは、端末装置１０に対して制御信号を送信する（Ｓ２００）。端末装置１０は、制御信号をもとに、第１無線装置２２ａとのタイミング同期を確立する（Ｓ２０２）。端末装置１０は、第１無線装置２２ａにリンクチャネル確立要求を送信する（Ｓ２０４）。第１無線装置２２ａは、端末装置１０にリンクチャネル割当を送信する（Ｓ２０６）。第１無線装置２２ａは、制御装置２４にＴＣＨ起動完了を送信する（Ｓ２０７）。端末装置１０は、第１無線装置２２ａにＣＣ呼設定を送信する（Ｓ２０８）。第１無線装置２２ａは、制御装置２４に発信要求を送信する（Ｓ２０９）。制御装置２４は、第１無線装置２２ａに伝達能力通知を送信する（Ｓ２１０）。また、制御装置２４は、第１無線装置２２ａに発信確認を送信する（Ｓ２１１）。第１無線装置２２ａは、端末装置１０にＣＣ呼設定受付を送信する（Ｓ２１２）。端末装置１０は、第１無線装置２２ａにＲＴ定義情報要求を送信する（Ｓ２１３）。第１無線装置２２ａは、端末装置１０にＲＴ定義情報応答を送信する（Ｓ２１４）。
【００３７】
端末装置１０は、第１無線装置２２ａにＲＴ機能要求を送信する（Ｓ２１６）。第１無線装置２２ａは、端末装置１０にＲＴ機能要求応答を送信する（Ｓ２１８）。端末装置１０は、第１無線装置２２ａにＲＴ秘匿鍵設定を送信する（Ｓ２２０）。端末装置１０は、第１無線装置２２ａにＭＭ機能要求を送信する（Ｓ２２２）。第１無線装置２２ａは、端末装置１０にＭＭ機能要求応答を送信する（Ｓ２２４）。第１無線装置２２ａは、制御装置２４に認証開始を送信する（Ｓ２２６）。制御装置２４は、第１無線装置２２ａに認証要求を送信する（Ｓ２２８）。第１無線装置２２ａは、端末装置１０に認証要求を送信する（Ｓ２３０）。端末装置１０は、第１無線装置２２ａに認証応答を送信する（Ｓ２３２）。第１無線装置２２ａは、制御装置２４に認証応答を送信する（Ｓ２３４）。
【００３８】
制御装置２４は、公衆網１４に呼設定を送信する（Ｓ２３６）。公衆網１４は、制御装置２４に呼設定受付を送信する（Ｓ２３８）。以上の処理によって、第１無線装置２２ａでのチャネルと公衆網１４でのチャネルとが、接続される。公衆網１４は、制御装置２４に呼出を送信する（Ｓ２４０）。制御装置２４は、第１無線装置２２ａに呼出を送信する（Ｓ２４２）。第１無線装置２２ａは、端末装置１０にＣＣ呼出を送信する（Ｓ２４４）。公衆網１４は、制御装置２４に応答を送信する（Ｓ２４６）。制御装置２４は、第１無線装置２２ａに応答を送信する（Ｓ２４８）。第１無線装置２２ａは、端末装置１０にＣＣ応答を送信する（Ｓ２５０）。制御装置２４は、公衆網１４に応答確認を送信する（Ｓ２５２）。端末装置１０と公衆網１４とは、通話を実行する（Ｓ２５４）。
【００３９】
なお、図１の通信システム１００では、基地局装置１２が送受信機能と呼制御機能を両方とも有している。そのため、図３のうち、第１無線装置２２ａと制御装置２４との間の処理、例えば、ステップ２２６等が、基地局装置１２の内部にてなされる。一方、図２の通信システム１００では、無線装置２２が送受信機能を有し、制御装置２４が呼制御機能を有する。このような構成によって、無線装置２２は、基地局装置１２よりも簡易な構成を有する。また、複数の無線装置２２と制御装置２４を接続することによって、基地局システム２０は、複数の基地局装置１２よりも容易な構成を有する。
【００４０】
図４は、第１無線装置２２ａの構成を示す。第１無線装置２２ａは、ＲＦ部３０、変調部３２、復調部３４、処理部３６、ＬＡＮ−ＩＦ部３８、測定部４０、決定部４２、制御部４４を含む。第１無線装置２２ａ以外の無線装置２２も、同様の機能を有する。
【００４１】
送受信機能のうちの受信に対する機能として、ＲＦ部３０は、無線ネットワークを介して、図示しない端末装置１０からの信号を受信し、受信した信号に対して周波数変換を実行する。復調部３４は、周波数変換された信号を復調する。処理部３６は、復調された信号をＬＡＮ−ＩＦ部３８に出力する。一方、送受信機能のうちの送信に対する機能として、処理部３６は、ＬＡＮ−ＩＦ部３８から信号を受けつける。変調部３２は、受けつけた信号を変調する。ＲＦ部３０は、変調した信号に対して周波数変換を実行する。ＲＦ部３０は、無線ネットワークを介して、周波数変換された信号を図示しない端末装置１０に送信する。
【００４２】
前述のごとく、第１無線装置２２ａは、複数の端末装置１０と通信可能である。複数の端末装置１０に対するチャネルの割当は、処理部３６によってなされる。ここで、チャネルは、無線ネットワークでのチャネルに相当する。ＬＡＮ−ＩＦ部３８は、第１ＬＡＮケーブル２６ａを介して、図示しない制御装置２４と接続する。
【００４３】
無線装置２２が送信用無線装置２２に該当するとき、ＬＡＮ−ＩＦ部３８には、図示しない制御装置２４から、既知の信号を送信する旨が指示される。その後、処理部３６、変調部３２、ＲＦ部３０は、既知の信号を送信する。その際、既知の信号は、処理部３６に記憶されているものとする。一方、無線装置２２が測定用無線装置２２に該当するとき、ＲＦ部３０は、送信用無線装置２２から既知の信号を受信する。復調部３４は、受信した既知の信号を復調する。測定部４０は、復調した信号に対する誤り率を測定する。測定部４０における誤り率の測定方法は、任意の方法でよい。決定部４２では、予めしきい値を規定しており、測定部４０において測定した誤り率をしきい値と比較する。また、決定部４２は、しきい値との比較結果に応じて、正常あるいは異常を規定しており、誤り率がしきい値よりも悪化していれば、通信機能の異常を選択する。一方、決定部４２は、誤り率がしきい値よりも悪化していなければ、通信機能の正常を選択する。決定部４２は、ＬＡＮ−ＩＦ部３８を介して、図示しない制御装置２４に選択の結果を通知する。制御部４４は、装置全体のタイミング等を制御する。
【００４４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４５】
図５は、制御装置２４の構成を示す。制御装置２４は、ＬＡＮ−ＩＦ部５０、処理部５２、公衆網ＩＦ部５４、記憶部５６、検出部５８、制御部６０を含む。ＬＡＮ−ＩＦ部５０は、ＬＡＮケーブル２６を介して、図示しない無線装置２２と接続する。図では、ひとつのＬＡＮケーブル２６を示したが、複数の無線装置２２に対応するように複数のＬＡＮケーブル２６がＬＡＮ−ＩＦ部５０に接続されてもよい。公衆網ＩＦ部５４は、公衆網１４と接続する。
【００４６】
処理部５２は、図示しない端末装置１０に対するチャネルと、図示しない公衆網１４でのチャネルとを接続する。このような接続によって、処理部５２は、通信対象の切替の制御を実行する。すなわち、公衆網ＩＦ部５４が公衆網１４から信号を受けつけたときに、信号に含まれた宛先にしたがって、処理部５２は、所定の無線装置２２に信号を出力する。記憶部５６は、処理部５２でのチャネルの割当の結果を記録する。以上の処理を実行する際に、処理部５２は、ＬＡＮ−ＩＦ部５０を介して、無線装置２２と通信する。
【００４７】
図６は、記憶部５６に記憶されたチャネルの情報のデータ構造を示す。図６に示したように、無線装置欄１１０、無線チャネル欄１１２、端末装置欄１１４、通信網チャネル欄１１６が含まれる。無線装置欄１１０は、制御装置２４に接続された無線装置２２を示す。ここでは、第１無線装置２２ａから第４無線装置２２ｄまでを含む。無線チャネル欄１１２は、無線装置２２において使用されているチャネルの番号を示す。端末装置欄１１４は、チャネルを割り当てられた端末装置１０を示す。例えば、第１無線装置２２ａでのチャネル「１」は、「第１端末装置」に割り当てられている。前述のごとく、フレームに含まれる複数のチャネルの構成は、第二世代コードレス電話システムと同一であるとするので、ひとつのフレームに８つのチャネルが含まれる。また、８つのチャネルのうちの４つが上り回線用のチャネルに対応しており、残りの４つが下り回線用のチャネルに対応する。また、ひとつの端末装置１０に対して、上り回線のチャネルと下り回線のチャネルをひとつずつ割り当てるので、ひとつのフレームあたり、４組のチャネルが存在する。ここでは、これを「１」から「４」と示す。通信網チャネル欄１１６は、無線チャネル欄１１２に示されたチャネルと接続される公衆網１４でのチャネルを示す。ここでは、「Ｘ１」、「Ｘ２」等と示される。
【００４８】
図５に戻る。検出部５８は、ＬＡＮ−ＩＦ部５０を介して、複数の無線装置２２のうちのひとつ、すなわち送信用無線装置２２から信号を送信させる。さらに、検出部５８は、測定用無線装置２２に信号を受信させた後に、受信した信号の結果から、複数の無線装置２２における通信機能の異常を検出する。すなわち、検出部５８は、送信用無線装置２２に対して、信号の送信を示した指示信号を出力する。また、検出部５８は、受信した信号の結果として、測定用無線装置２２によってなされた選択の結果であって、かつ通信機能が異常であるか否かの選択の結果を受けつける。ここで、通信機能が異常であるか否かの選択の結果とは、図４の決定部４２において決定された選択の結果に相当する。また、検出部５８は、選択の結果が通信機能の異常を示しているときに、複数の無線装置２２における通信機能の異常の検出とする。
【００４９】
ここで検出される通信機能の異常は、送信用無線装置２２における送信機能の異常あるいは測定用無線装置２２における受信機能の異常に相当する。すなわち、測定用無線装置２２から送信された信号が測定用無線装置２２に受信されてから、測定用無線装置２２が受信した信号の誤り率を測定するので、当該信号の送受信に関する部分の影響が誤り率に反映されるからである。なお、測定用無線装置２２が複数存在する場合、送信用無線装置２２における送信機能の異常あるいは測定用無線装置２２における受信機能の異常の特定が、可能になる。例えば、送信用無線装置２２が、第１無線装置２２ａであり、測定用無線装置２２が、第２無線装置２２ｂと第３無線装置２２ｃである場合、第１無線装置２２ａと第２無線装置２２ｂの組み合わせにおいて、異常が検出されたとする。第１無線装置２２ａと第３無線装置２２ｃの組み合わせにおいて異常が検出されれば、第１無線装置２２ａの送信機能の異常が特定される。一方、第１無線装置２２ａと第３無線装置２２ｃの組み合わせにおいて異常が検出されなければ、第２無線装置２２ｂの受信機能の異常が特定される。
【００５０】
検出部５８は、記憶部５６に記録されたデータを参照しながら、送信用無線装置２２と測定用無線装置２２においてチャネルが割り当てられていないタイミング（以下、「測定可能タイミング」）を取得する。なお、前述のごとく、基準装置以外の無線装置２２は、基準装置である第１無線装置２２ａに対して、チャネルのタイミング同期を確立しているので、複数の無線装置２２におけるチャネルのタイミングは同期しているといえる。そのため、送信用無線装置２２と測定用無線装置２２のいずれもが通信に使用していないチャネルにおいて、送信用無線装置２２が信号を送信しても、測定用無線装置２２は、通信用のデータと衝突することなく、当該信号を受信できる。
【００５１】
なお、複数の無線装置２２のうちのひとつが送信用無線装置２２に指定されれば、残りが測定用無線装置２２に指定される。すなわち、図示のごとく、４つの無線装置２２が存在する場合に、複数の測定用無線装置２２が指定されてもよい。なお、測定は、複数の測定用無線装置２２において同じタイミングになされてもよいし、複数の測定用無線装置２２から選択されたひとつに対してなされてもよい。後者の場合、測定用無線装置２２を順番に変更してもよい。
【００５２】
検出部５８は、送信用無線装置２２を変更しながら、複数の無線装置２２における通信機能の異常を検出してもよい。すなわち、検出部５８は、送信用無線装置２２を「第１無線装置２２ａ」、「第２無線装置２２ｂ」、「第３無線装置２２ｃ」、「第４無線装置２２ｄ」のように変更してもよい。これは、複数の無線装置２２のすべてが使用されるような変更に相当する。制御部６０は、装置全体のタイミング等を制御する。
【００５３】
以上の構成による通信システム１００の動作を説明する。図７は、通信システム１００による異常検出の手順を示すシーケンス図である。ここでは、説明を明瞭にするために、無線装置２２の数を「２」とし、送信用無線装置２２と測定用無線装置２２が交互に入れ替わる場合を想定する。制御装置２４は、第１無線装置２２ａに開始の指示を通知し（Ｓ５０）、第２無線装置２２ｂに開始の指示を通知する（Ｓ５２）。第１無線装置２２ａは、既知の信号を送信する（Ｓ５４）。第２無線装置２２ｂは、既知の信号を受信すると、誤り率を測定する（Ｓ５６）。第２無線装置２２ｂは、測定した誤り率がしきい値よりも悪化していれば、正常あるいは異常のうち、異常を選択する（Ｓ５８）。第２無線装置２２ｂは、選択結果を制御装置２４に送信する（Ｓ６０）。制御装置２４では、選択結果が異常であれば、異常を検出する（Ｓ６２）。
【００５４】
第２無線装置２２ｂは、既知の信号を送信する（Ｓ６４）。第１無線装置２２ａは、既知の信号を受信すると、誤り率を測定する（Ｓ６６）。第１無線装置２２ａは、測定した誤り率がしきい値よりも悪化していれば、正常あるいは異常のうち、正常を選択する（Ｓ６８）。第１無線装置２２ａは、選択結果を制御装置２４に送信する（Ｓ７０）。なお、第２無線装置２２ｂにおける選択結果が、正常である場合、何も送信しなくてもよい。制御装置２４では、選択結果が正常であれば、異常を検出しない（Ｓ７２）。
【００５５】
図８は、無線装置２２による異常検出の手順を示すフローチャートである。図８は、図７の第１無線装置２２ａの動作に相当する。すなわち、送信用無線装置２２から測定用無線装置２２に変更されながらの動作に相当する。そのため、送信用無線装置２２あるいは測定用無線装置２２として動作する場合、図８の一部にしたがった動作がなされるものとする。また、測定用無線装置２２から送信用無線装置２２からに変更されながら動作する場合、これに合わせて図８のフローチャートが変形されるものとするが、ここでは、説明を省略する。処理部３６は、ＬＡＮ−ＩＦ部３８を介して、開始の指示を受けつけなければ（Ｓ８０のＮ）、指示を受けつけるまで待機する。一方、開始の指示を受けつければ（Ｓ８０のＹ）、処理部３６は、変調部３２、ＲＦ部３０を介して、既知の信号を送信する（Ｓ８２）。
【００５６】
その後、ＲＦ部３０、復調部３４が信号を受信しなければ（Ｓ８４のＮ）、信号の受信まで待機する。一方、信号を受信すれば（Ｓ８４のＹ）、測定部４０は、誤り率を測定する（Ｓ８６）。誤り率がしきい値よりも悪化していれば（Ｓ８８のＹ）、決定部４２は、異常を選択する（Ｓ９０）。一方、誤り率がしきい値よりも悪化していなければ（Ｓ８８のＮ）、決定部４２は、正常を選択する（Ｓ９２）。処理部３６は、ＬＡＮ−ＩＦ部３８を介して、選択の結果を出力する（Ｓ９４）。
【００５７】
図９は、制御装置２４による異常検出の手順を示すフローチャートである。検出部５８は、送信用無線装置２２および測定用無線装置２２に指定すべき無線装置２２を選択する（Ｓ１００）。検出部５８は、ＬＡＮ−ＩＦ部５０を介して、選択した無線装置２２に開始の指示を出力する（Ｓ１０２）。検出部５８が選択の結果を受けつけなければ（Ｓ１０４のＮ）、受けつけるまで待機する。一方、選択の結果を受けつけ（Ｓ１０４のＹ）、かつ選択の結果が異常を示していれば（Ｓ１０６のＹ）、検出部５８は、異常を検出したとする（Ｓ１０８）。さらに、制御装置２４は、異常に対応した処理を実行する（Ｓ１１０）。異常に対応した処理とは、図示しない監視装置であって、かつ公衆網１４に接続された監視装置に対して、公衆網ＩＦ部５４が異常の検出結果を出力する処理等に相当する。一方、選択の結果が異常を示していなければ（Ｓ１０６のＮ）、検出部５８は、正常を検出したとする（Ｓ１１２）。すべての無線装置２２に対する検出が終了していなければ（Ｓ１１４のＮ）、検出部５８は、ステップ１００に戻って、処理を繰り返し実行する。すべての無線装置２２に対する検出が終了していれば（Ｓ１１４のＹ）、処理を終了する。
【００５８】
本発明の実施例によれば、送信用無線装置から信号を送信させ、測定用無線装置に信号を受信させており、かつ送受信の機能は、無線装置に備えられている機能であるので、回路規模の増加を抑えつつ、装置の異常を検出できる。また、制御装置が開始の指示を出力すれば、測定が実行されるので、人為的な作業を軽減できる。また、ＶＳＷＲ法と異なり、受信機能の異常も検出できる。また、制御装置は、無線装置から受けつけた選択の結果に応じて、検出結果を決定するので、制御装置の処理を簡易にできる。また、送信用無線装置は、既知の信号を送信するだけなので、無線装置の処理を簡易にできる。また、測定用無線装置は、既知の信号に対する誤り率を測定し、その結果をしきい値と比較するだけなので、無線装置の処理を簡易にできる。
【００５９】
また、ふたつの無線装置における送信機能と受信機能の異常を検出するので、ふたつの無線装置を切り替えることによって、異常となっている部分を特定できる。また、複数の測定用無線装置を切りかえながら、検出を実行するので、送信機能の異常あるいは受信機能の異常を特定できる。また、チャネルのタイミングが同期されているので、通信に使用されていないチャネルを使用すれば、検出の動作によって、通信へ及ぼす影響を低減できる。また、複数の無線装置のうちの基準装置に対するタイミングの同期は、第二世代コードレス電話システムにおいて従来から実行されている機能であるので、当該機能を利用することによって、簡易に実行できる。また、無線装置を変更しながら検出を実行するので、複数の無線装置に対する異常を検出できる。
【００６０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６１】
本発明の実施例において、複数の無線装置２２のうちのひとつが基準装置とされ、他の無線装置２２は、基準装置に対して、タイミング同期を確立している。しかしながらこれに限らず例えば、複数の無線装置２２においてタイミング同期が確立していなくてもよい。その場合、無線装置２２はキャリアセンスを実行する。すなわち、送信用無線装置２２が信号を送信していれば、測定用無線装置２２は、通信を中止し、送信用無線装置２２から送信された信号を受信すればよい。本変形例によれば、無線装置２２におけるタイミング同期の機能を省略できる。つまり、異常の検出のための測定が、通信に及ぼす影響を低減できればよい。
【００６２】
本発明の実施例において、無線装置２２の決定部４２が異常であるか否かを選択し、制御装置２４の検出部５８は、選択の結果を検出の結果としている。しかしながらこれに限らず例えば、検出部５８は、測定用無線装置２２から誤り率を受けつけ、誤り率がしきい値よりも悪化しているときに、複数の無線装置２２における通信機能の異常の検出としてもよい。また、検出部５８は、測定用無線装置２２から信号の強度を受けつけ、信号の強度がしきい値よりも低いときに、複数の無線装置２２における通信機能の異常の検出としてもよい。特に、前者の場合、測定用無線装置２２では、誤り率を測定しているだけで、選択を実行せず、後者の場合、測定用無線装置２２では、信号の強度を測定しているだけで、選択を実行しない。本変形例によれば、誤り率がしきい値よりも悪化している場合を検出するので、しきい値として最低限満たすべき値を設定すれば、最低限満たすべき値を満たせないような異常の状態を検出できる。また、信号の強度がしきい値よりも低い場合を検出するので、しきい値として最低限満たすべき値を設定すれば、最低限満たすべき値を満たせないような異常の状態を検出できる。つまり、検出部５８が、最終的に、無線装置２２の送受信機能に異常があるか否かを特定できればよい。
【００６３】
本発明の実施例において、決定部４２は、測定結果としきい値とを比較し、比較した結果から、異常であるか否かを選択している。しかしながらこれに限らず例えば、決定部４２は複数のしきい値を予め設定し、複数のしきい値と測定結果を比較することによって、複数の選択肢のいずれかを選択してもよい。本変形例によれば、正常と異常の中間の状態、例えば注意の状態を検出できる。つまり、選択肢に正常と異常が少なくとも含まれていればよい。
【図面の簡単な説明】
【００６４】
【図１】本発明の実施例と比較されるべき通信システムの構成を示す図である。
【図２】本発明の実施例に係る通信システムの構成を示す図である。
【図３】通信システムによる通話開始の手順を示すシーケンス図である。
【図４】図２の第１無線装置の構成を示す図である。
【図５】図２の制御装置の構成を示す図である。
【図６】図５の記憶部に記憶されたチャネルの情報のデータ構造を示す図である。
【図７】図２の通信システムによる異常検出の手順を示すシーケンス図である。
【図８】図２の無線装置による異常検出の手順を示すフローチャートである。
【図９】図２の制御装置による異常検出の手順を示すフローチャートである。
【符号の説明】
【００６５】
１０  端末装置、  １２  基地局装置、  １４  公衆網、  ２０  基地局システム、  ２２  無線装置、  ２４  制御装置、  ２６  ＬＡＮケーブル、  ３０  ＲＦ部、  ３２  変調部、  ３４  復調部、  ３６  処理部、  ３８  ＬＡＮ−ＩＦ部、  ４０  測定部、  ４２  決定部、  ４４  制御部、  ５０  ＬＡＮ−ＩＦ部、  ５２  処理部、  ５４  公衆網ＩＦ部、  ５６  記憶部、  ５８  検出部、  ６０  制御部、  １００  通信システム。
【図１】
2006246333.tif 000003
【図２】
2006246333.tif 000004
【図３】
2006246333.tif 000005
【図４】
2006246333.tif 000006
【図５】
2006246333.tif 000007
【図６】
2006246333.tif 000008
【図７】
2006246333.tif 000009
【図８】
2006246333.tif 000010
【図９】
2006246333.tif 000011